(57)【要約】      （修正有）【課題】  時計の小型化に対応した組立て性の良い時計の照明構造を提供。【解決手段】  発光素子１が実装されている駆動回路基板３の上面側には液晶表示パネル５と導光板６を保持した液晶セル支持枠１１が配設され、さらに導光板６の裏面側には反射シート１２が配設されている。反射シート１２の一端部は折り曲げられ、発光素子１の出射光に対する反射面１２ａが形成されている。液晶セル支持枠１１は白色部材で構成されて反射面として形成されている。発光素子１の出射光は、反射シート１２の折り曲げ部（反射面）１２ａと、それと対向する液晶セル支持枠１１の内壁部１１ａと、導光板６の一端部に設けられた傾斜面６ａ（反射シート７）と、導光板６内部と、導光板６裏面側の反射シート１２とで構成される導光路内を反射を繰り返しながら伝播し、導光板６表面から上方に向けて出射する。【選択図】  図１
2006300850.tif 000002
【特許請求の範囲】
【請求項１】
時刻情報を表示する時刻表示部と、
当該時刻表示部の裏面側に配設された反射板と、
当該反射板の裏面側に配設された回路基板と、
当該回路基板に搭載された発光素子とを備えた時計の照明構造であって、
前記反射板の一部を折り曲げることで、前記発光素子の出射光を反射する反射面を形成したことを特徴とする時計の照明構造。
【請求項２】
前記時刻表示部は表示パネルを有すると共に、当該表示パネルの裏面側には前記発光素子の出射光を導光する導光板が配設され、前記反射板は当該導光板の裏面側に配設されていることを特徴とする請求項１に記載の時計の照明構造。
【請求項３】
前記導光板は前記発光素子と対向する位置に傾斜面を有し、前記反射板の一部を当該傾斜面に沿って折り曲げることで、前記発光素子の出射光を前記導光板内部側へ反射する反射面を形成したことを特徴とする請求項２に記載の時計の照明構造。
【請求項４】
前記時刻表示部は透光性を有する文字板を有し、前記反射板は当該文字板の裏面側に配設されていることを特徴とする請求項１に記載の時計の照明構造。
【請求項５】
前記反射板の一部を前記回路基板に向けて折り曲げることで、前記発光素子の出射光を反射する反射面を形成したことを特徴とする請求項１〜４の何れか１つに記載の時計の照明構造。
【請求項６】
前記反射板の前記反射面を構成する部位を更に折り曲げることで、前記発光素子の出射光を反射する反射面を形成したことを特徴とする請求項５に記載の時計の照明構造。
【請求項７】
前記反射板を折り曲げるラインに沿って断続的な切り込みを設けたことを特徴とする請求項１〜６の何れか１つに記載の時計の照明構造。
【発明の詳細な説明】
【技術分野】
【０００１】
本発明は、時計の照明構造に関するものである。
【背景技術】
【０００２】
従来から、文字板と指針、また液晶表示パネル等からなる時刻表示部をＬＥＤ等の光源を用いて照明する時計の照明構造が提案されてきている。具体的な照明構造としては様々なものが挙げられるが、その１つとして時刻表示部の裏面側に配設された回路基板、例えば時計の駆動回路基板に発光素子（ＬＥＤ等）を直接実装したものがある。（例えば、特許文献１参照）
【０００３】
図６は、駆動回路基板上に発光素子を直接実装した従来の時計の照明構造を示す断面図であり、この構成の場合、発光素子１は時刻表示部２から離れた駆動回路基板３上に配設されるため、その出射光を効率的に時刻表示部２側へ導光するための導光路が設けられている。導光路は、時計モジュールの一部、例えば液晶セル支持枠４の内壁部４ａ、４ｂ等で囲まれた空間であり、このように液晶セル支持枠４の一部を導光路として利用する際には、液晶セル支持枠４自体を白色部材で構成して光の反射作用を持たせている。また、図６に示すように時刻表示部２が液晶表示パネル５等の表示パネルを有する場合には、その裏面側に導光板６が配設される。導光板６は光を均一化するためのもので、発光素子１と対向する位置には発光素子１の出射光を導光板６内部側へ反射するための傾斜面６ａが形成されている。傾斜面６ａは、そこに片面粘着性の反射シート７を添着することで鏡面化してあり、更に導光板６の裏面側には、導光板６と概ね同形サイズの非粘着性の反射シート８が配設されて導光板６と液晶セル支持枠４の一部とで挟持されている。発光素子１の出射光は、液晶セル支持枠４の内壁部４ａ、４ｂと、導光板６の傾斜面６ａ（反射シート７）と、導光板６内部と、導光板６裏面側の反射シート８とで構成される導光路内を反射を繰り返しながら伝播し、導光板６表面から上方に向けて出射する。
【特許文献１】特開２００４−５３３４２号公報
【発明の開示】
【発明が解決しようとする課題】
【０００４】
導光路を形成する際に片面粘着性の反射シートを用いる場合には、その添着作業に多くの労力を要していた。
【０００５】
また、従来の構成では時計モジュール（例えば、液晶セル支持枠）の一部（内壁部）を導光路の一部として利用していたが、その場合には時計モジュールを構成する部材自体を白色部材で構成して光の反射作用を持たせる必要があった。更に、時計の小型化に伴って時計モジュールの反射面として利用する部位（内壁部４ｂ）を配置するスペース自体が確保できない場合があった。
【０００６】
本発明は、以上のような問題点に鑑みて成されたものであり、時計の小型化に対応し、さらに組立て性の良い時計の照明構造を提供することを目的とする。
【課題を解決するための手段】
【０００７】
時刻情報を表示する時刻表示部と、
当該時刻表示部の裏面側に配設された反射板と、
当該反射板の裏面側に配設された回路基板と、
当該回路基板に搭載された発光素子とを備えた時計の照明構造であって、
前記反射板の一部を折り曲げることで、前記発光素子の出射光を反射する反射面を形成した時計の照明構造とする。
【０００８】
前記時刻表示部は表示パネルを有すると共に、当該表示パネルの裏面側には前記発光素子の出射光を導光する導光板が配設され、前記反射板は当該導光板の裏面側に配設されている時計の照明構造とする。
【０００９】
前記導光板は前記発光素子と対向する位置に傾斜面を有し、前記反射板の一部を当該傾斜面に沿って折り曲げることで、前記発光素子の出射光を前記導光板内部側へ反射する反射面を形成した時計の照明構造とする。
【００１０】
前記時刻表示部は透光性を有する文字板を有し、前記反射板は当該文字板の裏面側に配設されている時計の照明構造とする。
【００１１】
前記反射板の一部を前記回路基板に向けて折り曲げることで、前記発光素子の出射光を反射する反射面を形成した時計の照明構造とする。
【００１２】
前記反射板の前記反射面を構成する部位を更に折り曲げることで、前記発光素子の出射光を反射する反射面を形成した時計の照明構造とする。
【００１３】
前記反射板を折り曲げるラインに沿って断続的な切り込みを設けた時計の照明構造とする。
【発明の効果】
【００１４】
本発明によれば、１枚の反射シートを折り曲げて導光路の一部として利用しているため、従来のように時計モジュールの一部で導光路の一部を構成する必要がなくなり、時計の小型化が可能となる。また、反射シートの一部を導光板一端部の傾斜面に沿って折り曲げるようにすれば、傾斜面に反射シートを添着する作業が不要となって組立て性が向上する。
【発明を実施するための最良の形態】
【００１５】
１枚の反射シートを折り曲げることで、発光素子を囲繞する反射面と、出射光を導光板内部側へ反射する反射面を形成する構成とする。
【実施例１】
【００１６】
図１は、本発明の時計の照明構造を示す断面図である。また、図２は、図１に示す本発明の時計の照明構造に用いる反射シートを示す要部拡大上面図である。以下、図１、２を参照して、本発明の時計の照明構造について説明する。尚、従来と同一の部材には同一の符号を付してある。まず、時計モジュールを構成する２つの枠体（液晶セル支持枠１１、電池支持枠（不図示））との間に挟持された駆動回路基板３の周縁部には、発光面を上方に向けて発光素子（ＬＥＤ）１が実装されている。本実施例において、発光素子１は駆動回路基板３周縁部に１つ配設されている。尚、駆動回路基板３は、時計の駆動回路を構成する各種電子部品が実装された回路基板であるが、発光素子１の点灯用回路のみが実装された、駆動回路基板３とは別の回路基板であってもよい。
【００１７】
駆動回路基板３の表面側に配設された液晶セル支持枠１１には、その一部を中抜きすることで形成された空間が設けられており、その空間に時刻表示部２が配設されている。本実施例において、時刻表示部２は液晶表示パネル５で構成されており、その裏面側には導光板６が配設されている。導光板６は、その一端部から他端部に向かって薄板化されており、入射光を均一化するように構成されている。更に、導光板６の厚肉側の一端部には、発光素子１の出射光を導光板６内部側に向けて反射するための傾斜面６ａが設けられており、片面粘着性の反射シート７を添着することで鏡面化してある。
【００１８】
導光板６の裏面側には、導光板６と概ね同形サイズの反射シート１２が導光板６と液晶セル支持枠１１の一部とで挟持されており、導光板６内部を伝播した光を導光板６表面側へ向けて反射するようになっている。尚、反射シート１２は、例えば白色の軟質系プラスチック材質の薄板である。ここで本発明の特長として、導光板６裏面側に配設した反射シート１２の発光素子１配設側の一端部を駆動回路基板３に向けて折り曲げてある。このように反射シート１２の一端部を折り曲げることで、発光素子１の出射光を反射する反射面（折り曲げ部）１２ａが形成されている。尚、反射シート１２には、図２に点線で示すように折り曲げるラインに沿って断続的な切れ込みが設けてあり、反射シート１２を折り曲げ易いようにしてある。また、液晶セル支持枠１１自体を従来と同様に白色部材で構成して反射シート１２の折り曲げ部１２ａと対向する部位（内壁部１１ａ）を光の反射面として形成してある。
【００１９】
発光素子１の出射光は、反射シート１２の折り曲げ部（反射面）１２ａと、液晶セル支持枠１１の内壁部１１ａと、導光板６の傾斜面６ａ（反射シート７）と、導光板６内部と、導光板６裏面側の反射シート１２とで構成される導光路内を反射を繰り返しながら伝播し、導光板６表面から上方に向けて出射する。尚、本実施例の構成では発光素子１と隣接する位置（図１では左側）に、折り曲げる反射シート１２の厚さ分のスペースさえ確保されていればよく、その位置に従来のような液晶セル支持枠４の内壁部４ｂを配置する必要はなくなり、その分のスペースがフリースペースとして確保される。但し、その位置に従来の如く液晶セル支持枠４の内壁部４ｂが配置されている場合であっても本発明を適用することが可能である。
【実施例２】
【００２０】
図３は、本発明の時計の照明構造を示す断面図で、前記実施例１の発展型を示している。また図４は、図３に示す本発明の時計の照明構造に用いる反射シートを示す要部拡大上面図である。基本的な部材配置は実施例１と同様であり、本実施例２の特長は反射シートの折り曲げ個所を複数設けることで、１つの反射シートでより多くの反射面を形成したことである。具体的には、反射シート２１は図４に実線で示す部分で切断されており（波線部分は除く）、尚且つ点線で示す部分には断続的な切り込みが設けてある。即ち、実施例１で述べた反射シート１２の折り曲げ部（反射面）１２ａの如き反射シート２１の折り曲げ部２１ａを予め拡張して形成しておき、その拡張部分を図４に示した折り曲げ線Ａ、Ｂ、Ｃに沿って発光素子１を囲繞するように折り曲げることで、上記反射面２１ａに加え、さらに３つの反射面２１ｂ、２１ｃ、２１ｄを形成している。更に、反射シート２１の別の一端部を折り曲げ線Ｄに沿って導光板６の傾斜面６ａに向けて折り曲げ、発光素子１の出射光を導光板６内部側へ向けて反射する反射面２１ｅを形成している。以上のように本実施例２の構成によれば、従来のように液晶セル支持枠を白色部材で構成したり、導光板の傾斜面に反射シートを添着する必要はなくなる。
【００２１】
尚、実施例１、２では液晶表示パネル２の裏面側に導光板６を配設しているが、光を均一化させる必要が無い場合には不要である。その場合には、図示は省略するが、例えば発光素子１の出射光を液晶表示パネル２側へ反射する反射面を時計ケースの内壁部に形成すると共に、反射シートを液晶表示パネル２の裏面側に配設するなどの構成が取られ、この場合であっても本発明に係る反射シート１２、又は２１を適用して時計の照明構造を構成することが可能である。
【実施例３】
【００２２】
上述の実施例１、２は、何れも時刻表示部２に液晶表示パネル５を配設した実施形態について述べたものであるが、本発明の内容は時刻表示部２に指針３１と文字板３２とを備えたアナログ表示機を配設した場合にも適用が可能である。図５は、本発明の時計の照明構造を示す断面図で、時刻表示部にアナログ表示機を配設した実施形態を示している。時刻表示部２には透光性を有する文字板３２が配設され、文字板３２上方には文字板３２中央に設けられた貫通孔３２ａに回転軸３２ｂを介して指針３１が保持され、さらに文字板３２の裏面側に反射シート３３が配設されている。反射シートには、実施例１で用いたものと同様に一端部を駆動回路基板３に向かって折り曲げることで折り曲げ部（反射面）３３ａが形成してある。また、時計ケース３４全体を従来と同様に白色部材で構成するか、もしくはその内壁部に片面粘着性の反射シートを添着することで、反射シート３３の折り曲げ部３３ａと対向する部位と、発光素子１と対向する部位を光の反射面として形成してある。
【００２３】
発光素子１の出射光は、反射シート３３の折り曲げ部（反射面）３３ａと、時計ケース３４内壁と、透光性を有する文字板３２内部と、文字板裏面側の反射シート３３とで構成される導光路内を反射を繰り返しながら伝播し、文字板３２表面から上方に向けて出射する。
【００２４】
以上、本発明の実施例について説明したが、本発明の要旨は反射シートを折り曲げることで反射面を形成することであり、反射シートの折り曲げ位置や折り曲げ回数などは適宜選択が可能である。
【図面の簡単な説明】
【００２５】
【図１】本発明の時計の照明構造を示す断面図（実施例１）
【図２】図１に示す本発明の時計の照明構造に用いる反射シートを示す要部拡大上面図（実施例２）
【図３】本発明の時計の照明構造を示す断面図（実施例２）
【図４】図３に示す本発明の時計の照明構造に用いる反射シートを示す要部拡大上面図（実施例２）
【図５】本発明の時計の照明構造を示す断面図（実施例３）
【図６】駆動回路基板上に発光素子を搭載した従来の時計の照明構造を示す断面図
【符号の説明】
【００２６】
１      発光素子
２      時刻表示部
３      駆動回路基板
４      液晶セル支持枠
４ａ    内壁部
４ｂ    内壁部
５      液晶表示パネル
６      導光板
６ａ    傾斜面
７      反射シート（片面粘着性）
８      反射シート（非粘着性）
１１    液晶セル支持枠
１１ａ  内壁部
１２    反射シート（非粘着性）
１２ａ  折り曲げ部（反射面）
２１    反射シート（非粘着性）
２１ａ  折り曲げ部（反射面）
２１ｂ  折り曲げ部（反射面）
２１ｃ  折り曲げ部（反射面）
２１ｄ  折り曲げ部（反射面）
２１ｅ  折り曲げ部（反射面）
【図１】
2006300850.tif 000003
【図２】
2006300850.tif 000004
【図３】
2006300850.tif 000005
【図４】
2006300850.tif 000006
【図５】
2006300850.tif 000007
【図６】
2006300850.tif 000008